(57)【要約】【課題】飲料キャッチャー販売複合機及びその物品販売方法を提供する。【解決手段】飲料キャッチャー販売複合機は、機台、複数のボトル設置フレームを備え、機台上には収容設置空間を設け、物品落下口を設置して探知パーツを設け、収容設置空間上方にはクレーンレールを設け、レール上にはキャッチ爪を枢設し、キャッチ爪には滑り止め部材を設け、キャッチ爪上にはハンギングワイヤーを設けて巻き取り短縮或いは伸ばし延長可能で、機台には操作台を設置し、操作台上には操作レバー及びボタンを設け、機台には貨幣投入装置を設置し、貨幣投入装置は操作台及びキャッチ爪と電気的に連通し、機台上には返金ボタンを設け、機台下方には物品落下口と連通する物品取出し口を設け、ボトル設置フレームは機台の収容設置空間内に設け、ボトル設置フレーム上には複数のセット孔を設け、飲料販売とゲームの楽しさを兼ね備えた飲料キャッチャー販売複合機。【選択図】図１
2018116675.tif 000002
【特許請求の範囲】
【請求項１】
飲料キャッチャー販売複合機は、機台と複数のボトル設置フレームを備え、
該機台の下方には、物品取出し口を設置し、該機台上方には、収容設置空間を設置し、該収容設置空間には、物品落下口を設置し、該物品落下口は、物品取出し口と連通し、該物品落下口には、探知パーツを設置し、該収容設置空間上方には、クレーンレールを設置し、該クレーンレール上には、キャッチ爪を枢設し、該キャッチ爪は、クレーンレール上で移動でき、しかも該キャッチ爪には、滑り止め部材を設置し、しかもキャッチ爪上には、ハンギングワイヤーを設置し、該ハンギングワイヤーは、巻いて短縮でき、或いは伸ばして延長でき、これによりキャッチ爪は物品取出し口まで下降でき、また、該機台には、操作台を設置し、該操作台上には、操作レバー及び操作ボタンを設置し、該操作レバー及び操作ボタンを操作することで、キャッチ爪の移動及び物品のキャッチをコントロールでき、該機台には、貨幣投入装置を設置し、該貨幣投入装置は、操作台及びキャッチ爪と電気的に連通し、しかも機台上には、返金ボタンを設置し、
該ボトル設置フレームは、該機台の収容設置空間内に設置され、ボトル設置フレーム上には、複数のセット孔を設置し、該セット孔には、飲料缶をセットでき、こうして飲料缶は直立してセットされ倒れることはなく、
飲料販売とゲームの楽しさを兼ね備えることを特徴とする飲料キャッチャー販売複合機。
【請求項２】
飲料キャッチャー販売複合機の物品販売方法は、請求項１に記載の飲料キャッチャー販売複合機に用いられ、以下のステップを含み、
スタンバイ：機台は、オンだが、キャッチ爪及びコンソールは、作動しないスタンバイ状態、
貨幣投入開始：購入者は硬貨を投入し、キャッチ爪及びコンソールを電気的に連通させ、これによりキャッチ爪を操作して、買い物を始めることができ、
キャッチ爪をコントロールし選択：購入者は、キャッチ爪の移動、キャッチャーを操作することで、購入したい飲料商品をキャッチでき、
物品落下口を飲料商品が通過したか否かを探知：キャッチ爪が物品落下口に移動後、物品落下口を飲料商品が通過したか否かを探知し、飲料商品がすれば、今回のキャッチャー販売を終了し、
販売時間に既に達したか否か：物品落下口で、飲料商品の通過が探知されなかったなら、今回のキャッチ購入が所定の販売時間に既に達したか否かを計算して統計し、所定の販売時間に達していないなら、キャッチ爪をコントロールし選択のステップに戻り、購入者はキャッチ爪を新たにコントロールしキャッチャー購入を始めることができ、所定の販売時間に既に達したなら、キャッチ爪及び操作台の操作レバーと操作ボタンは通電を切断され、動作を停止し、
返金ボタンを押したか否か：販売時間に既に達し、しかもキャッチ爪及び操作台の操作レバーと操作ボタンが通電の切断を呈すると、該返金ボタンが押されたか否かを探知し、返金ボタンが押されていなかったなら、キャッチ爪をコントロールし選択のステップに戻り、キャッチ購入を新たに始め、返金ボタンが押されたなら、返金を開始し、
返金：返金ボタンが押されたことを探知したなら、システムは投入された硬貨を購入者に返金し、今回のキャッチャー販売は終了し、システムはスタンバイ状態に戻り、
上述のステップにより、飲料販売とキャッチャーゲームの楽しさを提供することを特徴とする飲料キャッチャー販売複合機及びその物品販売方法。
【発明の詳細な説明】
【技術分野】
【０００１】
本発明は飲料キャッチャー販売複合機及びその物品販売方法に関し、特に飲料販売とゲームの楽しさを兼ね備えた飲料キャッチャー販売複合機及びその物品販売方法に関する。
【背景技術】
【０００２】
現在の飲料販売機は、多種の飲料を保管できる機台を備える。
該機台上には、ショーケースを設置し、該ショーケース内には多種の飲料を置く。該機台には、各一種の飲料に相対し、下方にそれぞれプッシュボタンを設置する。購入者は飲料に対応する金額を支払い、購入しようとする飲料を選択し、プッシュボタンを押すと、該機台に保管された飲料は、機台上に設置される物品取出し口へと送り出され、購入者は、物品取出し口より飲料を取ることができる。
【０００３】
上述の飲料販売機は、飲料販売の機能を備えてはいるが、一方通行の販売しか提供できず、双方向の動作は一切ない。
これは、購入者にとっては、実に単調で人間性に欠け、面白みのない買い物方式である。
【０００４】
購入者の購買時の楽しさを高めるため、販売機上にモニターを設置し、広告ビデオ、アニメ或いは音楽を再生する方式で、購入者の注意をひくものもある。
しかし、購入者はやはり同じように、選択し支払い、飲料の種類を押して選び購入するのみである。
そのため、やはり一方通行の販売で、単調で人間性に欠け、面白みがないという欠点は依然として残る。
【先行技術文献】
【特許文献】
【０００５】
【特許文献１】特開２００９−２７９１０７号公報
【発明の概要】
【発明が解決しようとする課題】
【０００６】
前記先行技術には以下の欠点がある。
飲料販売機の販売方法が、一方通行の販売で、単調で人間性に欠け、面白みがない。
【課題を解決するための手段】
【０００７】
本発明の目的は、飲料販売とゲームの楽しさを兼ね備えた飲料キャッチャー販売複合機及びその物品販売方法を提供することである。
【０００８】
本発明の飲料キャッチャー販売複合機は、機台と複数のボトル設置フレームを備え、該機台の下方には、物品取出し口を設置し、該機台上方には、収容設置空間を設置し、該収容設置空間には、物品落下口を設置し、該物品落下口は、物品取出し口と連通し、該物品落下口には、探知パーツを設置し、該収容設置空間上方には、クレーンレールを設置し、該クレーンレール上には、キャッチ爪を枢設し、該キャッチ爪は、クレーンレール上で移動でき、しかも該キャッチ爪には、滑り止め部材を設置し、しかもキャッチ爪上には、ハンギングワイヤーを設置し、該ハンギングワイヤーは、巻いて短縮でき、或いは伸ばして延長でき、これにより該キャッチ爪は物品取出し口まで下降できる。
該機台には、操作台を設置し、該操作台上には、操作レバー及び操作ボタンを設置し、該操作レバー及び操作ボタンを操作することで、キャッチ爪の移動及び物品のキャッチをコントロールできる。
該機台には、貨幣投入装置を設置し、該貨幣投入装置は、操作台及びキャッチ爪と電気的に連通し、しかも機台上には、返金ボタンを設置し、該ボトル設置フレームは、該機台の収容設置空間内に設置され、該ボトル設置フレーム上には、複数のセット孔を設置し、該セット孔には、飲料缶（瓶）をセットでき、これにより飲料缶（瓶）を立ててセットできるため、傾いて倒れる恐れはない。
【発明の効果】
【０００９】
本発明の飲料キャッチャー販売複合機及びその物品販売方法は、ハンギングワイヤーは、巻いて短縮でき、或いは伸ばして延長でき、これにより該キャッチ爪は物品取出し口まで下降でき、キャッチ爪の移動及び物品のキャッチをコントロールでき、セット孔には、飲料缶（瓶）をセットでき、これにより飲料缶（瓶）を立ててセットできるため、傾いて倒れる恐れはなく、飲料販売とゲームの楽しさを共に提供することができる。
【図面の簡単な説明】
【００１０】
【図１】本発明飲料キャッチャー販売複合機の立体図である。
【図２】本発明飲料キャッチャー販売複合機の断面図である。
【図３】本発明キャッチ爪の立体図である。
【図４】本発明飲料キャッチャー販売複合機の断面図、及び飲料をボトル設置フレーム中にセットする様子を示す模式図である。
【図５】本発明飲料キャッチャー販売複合機の断面図、及びキャッチ爪が飲料をキャッチする様子を示す模式図である。
【図６】本発明飲料キャッチャー販売複合機の断面図、及びキャッチ爪が飲料を物品取出し口内に入れる様子を示す模式図である。
【図７】本発明飲料キャッチャー販売複合機のフローチャートである。
【発明を実施するための形態】
【００１１】
以下に本実施例を説明する。
【実施例】
【００１２】
図１の立体図に示すように、本発明の飲料キャッチャー販売複合機は、機台１０と複数のボトル設置フレーム２０を備える。
【００１３】
機台１０（同時に図２参照）の下方には、物品取出し口１１を設置し、機台１０上方には、収容設置空間１２を設置する。
【００１４】
収容設置空間１２には、物品落下口１３を設置し、該物品落下口１３は、物品取出し口１１と連通する。
【００１５】
該物品落下口１３には、探知パーツ１３１を設置し、収容設置空間１２上方には、クレーンレール１４を設置する。
【００１６】
該クレーンレール１４上には、キャッチ爪１５を枢設し、該キャッチ爪１５は、クレーンレール１４上で移動でき、しかも該キャッチ爪１５には、滑り止め部材１５１を設置する。
【００１７】
しかも、キャッチ爪１５上には、ハンギングワイヤー１５２を設置し、該ハンギングワイヤー１５２は、巻いて短縮でき、或いは伸ばして延長でき、これによりキャッチ爪１５は物品取出し口１１まで下降できる。
【００１８】
また、該機台１０には、操作台１６を設置し、操作台１６上には、操作レバー１６１及び操作ボタン１６２を設置し、該操作レバー１６１及び操作ボタン１６２を操作することで、キャッチ爪１５の移動及び物品のキャッチをコントロールできる。
【００１９】
また、該機台１０には、貨幣投入装置１７を設置し、該貨幣投入装置１７は、操作台１６及びキャッチ爪１５と電気的に連通し、しかも機台１０には、返金ボタン１８を設置する。
【００２０】
ボトル設置フレーム２０（同時に図２参照）は、機台１０の収容設置空間１２内に設置され、ボトル設置フレーム２０上には、複数のセット孔２１を設置し、該セット孔２１には、飲料缶（瓶）３０をセットでき、これにより飲料缶（瓶）３０を立ててセットできるため、傾いて倒れる恐れはない。
【００２１】
上述の構造により、図４に示すように、該ボトル設置フレーム２０を利用し、複数の飲料缶（瓶）３０をセットでき、こうして飲料缶（瓶）３０は、機台１０の収容設置空間１２中に直立してセットされる。
【００２２】
続いて、購入者は、操作レバー１６１及び操作ボタン１６２をコントロールすることで、選んだ飲料をキャッチして購入することができる。
【００２３】
同時に、キャッチ爪１５上には、滑り止め部材１５１を設置するため、キャッチ爪１５が飲料缶（瓶）３０をキャッチした時、飲料缶（瓶）３０の滑り落ちを回避でき、こうしてキャッチ爪１５は、飲料缶（瓶）３０を確実にキャッチでき、物品落下口１３へと移動後（図５参照）、該キャッチ爪１５は、ハンギングワイヤー１５２の伸ばすことで延長し、物品取出し口１１へと下降し、キャッチ爪１５を開き、該飲料缶（瓶）３０を物品取出し口１１内に入れる（図６参照）。
【００２４】
次に、キャッチ爪１５は、ハンギングワイヤー１５２の巻き取り短縮により、上昇して復位（図４参照）し、続いて購入者は、物品取出し口１１より、購入した飲料缶（瓶）３０を取り出す。
【００２５】
同時に、ボトル設置フレーム２０の設置により、購入者がキャッチ爪１５を操作する過程において、操作が不適当、或いは操作に失敗し、キャッチ爪１５が飲料缶（瓶）３０に衝突しても、飲料缶（瓶）３０は、ボトル設置フレーム２０のセット孔２１中に直立してセットされているため、飲料缶（瓶）３０を定位でき、衝突や揺れにより傾斜したり倒れたりすることはなく、購入者はスムーズに飲料をキャッチして購入できる。
【００２６】
購入者がスムーズに本発明を利用して飲料商品をキャッチして購入できるよう、本発明の物品販売方法は、図７に示すように、以下のステップを含む。
【００２７】
スタンバイＳ１００：該機台１０は、オン状態であるが、キャッチ爪１５及びコンソール１６は、作動しないスタンバイ状態である。
【００２８】
貨幣投入開始Ｓ２００：購入者は硬貨を投入し、キャッチ爪１５及びコンソール１６を電気的に連通させ、これによりキャッチ爪１５を操作して、買い物を始めることができる。
【００２９】
キャッチ爪をコントロールし選択Ｓ３００：購入者は、キャッチ爪１５の移動、キャッチャーを操作することで、購入したい飲料商品をキャッチできる。
【００３０】
物品落下口を飲料商品が通過したか否かを探知Ｓ４００：キャッチ爪１５が物品落下口１３へと移動後、物品落下口１３を飲料商品が通過したか否かを探知し、飲料商品が通過したなら、今回のキャッチャー販売を終了し、ステップＳ１００のスタンバイ状態に戻り、通過していないなら、次のステップに進む。
【００３１】
販売時間に既に達したか否かＳ５００：物品落下口１３で、飲料商品の通過が探知されなかったなら、今回のキャッチ購入が所定の販売時間（例えば、１分）に既に達したか否かを計算して統計し、所定の販売時間に達していないなら、キャッチ爪をコントロールし選択Ｓ３００のステップに戻り、購入者はキャッチ爪１５を新たにコントロールしキャッチャー購入を始めることができる。
【００３２】
所定の販売時間に既に達したなら、キャッチ爪１５及び操作台１６の操作レバー１６１と操作ボタン１６２は通電を遮断し、動作を停止し、続いて次のステップに進む。
【００３３】
返金ボタンを押したか否かＳ６００：
キャッチ爪１５及び操作台１６の操作レバー１６１と操作ボタン１６２が通電の切断を呈すると、該返金ボタン１８が押されたか否かを探知し、返金ボタン１８が押されていなかったなら、キャッチ爪をコントロールし選択Ｓ３００のステップに戻り、キャッチ購入を新たに始め、返金ボタン１８が押されたなら、次のステップに進む。
【００３４】
返金Ｓ７００：システムが返金ボタン１８が押されたことを感知すると、キャッチ爪１５及び操作台１６の操作レバー１６１と操作ボタン１６２はシステムの通電の切断し、投入された硬貨を購入者に返金し、今回のキャッチャー販売は終了し、システムはスタンバイＳ１００ステップのスタンバイ状態に戻る。
【００３５】
上述のステップにより、購入者は上述の装置を利用し、キャッチ爪１５を操作して選択した飲料商品をキャッチでき、購入者がキャッチ爪１５を操作して飲料商品をキャッチした後は、キャッチ爪１５上に設置される滑り止め部材１５１により、キャッチ爪１５の移動中に飲料商品が滑り落ちることを回避でき、キャッチ爪１５が物品落下口１３まで移動した後は、該キャッチ爪１５は物品取出し口１１まで下降し、飲料商品を物品取出し口１１内に入れ、飲料商品が落下により衝撃を受け凹み、損壊することを回避でき、こうして購入者は物品取出し口１１より完璧な包装の飲料商品を取り出すことができる。
【００３６】
同時に、物品落下口１３に設置される探知パーツ１３１により、飲料商品が通過したか否かを探知し、購入者が新たにキャッチ爪１５を操作し飲料商品をキャッチできるかどうかを判別し、購入者が今回の購入中で飲料商品を獲得できていなかった場合には、購入者は再びキャッチ爪１５を操作し商品をキャッチして獲得でき、二回目も飲料商品をキャッチして獲得できなかった場合には、さらにもう一度キャッチ爪１５を操作して購入することができる。
【００３７】
購入者が、時間をかけても飲料商品をつかみ取れず、しかも所定のキャッチャー操作時間（例えば、１分鐘）に達したなら、キャッチ爪１５は復位後に動作を停止し、しかも購入者は操作レバー１６１によりキャッチ爪１５を操作できなくなり、システムは機台１０上の返金ボタン１８が押されたか否かを判定し、購入者が飲料商品を再び購入しようとしないなら、返金ボタン１８を押して投入した硬貨を返金することができ、キャッチャー購入を終了する。
【００３８】
購入者がキャッチャー購入を継続しようとするなら、返金ボタン１８を押さずにいれば、システムが、返金ボタン１８が押されていないことを判定した後に、キャッチ爪１５と操作台１６の操作レバー１６１及び操作ボタン１６２は再び電気的に連接し、購入者は再びキャッチ爪を操作して飲料商品をキャッチして購入でき、こうしてキャッチャー購入を新たに始め、販売時間を新たに計算する。
【００３９】
本発明はキャッチ爪１５を利用し飲料商品をつかみ取り、購入者に飲料商品の購入を提供する他、キャッチ爪１５をコントロールし商品をキャッチする過程は、ゲームの効果を達成し、販売と娯楽の効果を実現でき、従来の販売機の一方通行の販売を根本から変えられるばかりか、購入者がキャッチ爪を利用して飲料商品をつかみ取ることで、購入者と販売機との間の相互交流を増進し、飲料商品を販売するだけにとどまらず、購入者に買い物の楽しさと双方向の交流を提供することができる。
【００４０】
本発明の機台１０には、ボトル設置フレーム２０を設置するため、飲料商品を直立状にセットでき、しかも飲料商品が衝突して倒れることを回避でき、飲料商品は確実に直立状を呈するため、購入者はつかみ取りやすい。
【産業上の利用可能性】
【００４１】
本発明は特許登録の要件である新規性を備え、従来の同類製品に比べ十分な進歩を有し、実用性が高く、社会のニーズに合致しており、産業上の利用価値は非常に大きい。
【符号の説明】
【００４２】
１０  機台
１１  物品取出し口
１２  収容設置空間
１３  物品落下口
１３１  探知パーツ
１４  クレーンレール
１５  キャッチ爪
１５１  滑り止め部材
１５２  ハンギングワイヤー
１６  操作台
１６１  操作レバー
１６２  操作ボタン
１７  貨幣投入装置
１８  返金ボタン
２０  ボトル設置フレーム
２１  セット孔
３０  飲料缶
【図１】
2018116675.tif 000003
【図２】
2018116675.tif 000004
【図３】
2018116675.tif 000005
【図４】
2018116675.tif 000006
【図５】
2018116675.tif 000007
【図６】
2018116675.tif 000008
【図７】
2018116675.tif 000009